(57)【特許請求の範囲】
【請求項１】
一定回転数で回転するディスク上のトラックからデータを読み取るピックアップ手段と、読み取ったデータをあるスライスレベルで２値化してＲＦ信号を生成する手段と、このＲＦ信号に同期を掛けるＰＬＬ回路と、前記ピックアップがトラックジャンプする際に用いる前記スライスレベルを、ジャンプするトラック数に応じて変化させるスライスレベル設定手段とを具備し、
前記スライスレベル設定手段は、ジャンプするトラック数が少ない場合はオントラックデータのみを検出できるように前記スライスレベルを設定し、ジャンプするトラック数が多い場合はオントラックデータに加えてオフトラックデータも検出できるように前記スライスレベルを設定することを特徴とするディスク再生装置。
【発明の詳細な説明】
【０００１】
【発明の属する技術分野】
本発明は、ＣＤやＤＶＤなどの光ディスクを再生する光ディスク再生装置に係り、特に光ピックアップがトラックジャンプする際のＲＦ信号のスライスレベルの設定に関する。
【０００２】
【従来の技術】
従来より、ＣＤ／ＤＶＤを始めとする光ディスク（以降、単にディスクと称する）を再生する光ディスク再生装置では、ＣＬＶ制御方式（線速度一定）を基本としているため、ディスク自体のデータはＣＬＶ制御方式で記録されている。
【０００３】
そのため、ＣＤ／ＤＶＤの再生装置におけるディスクモータの制御方式は、ＣＬＶ制御方式であり、ディスクの内周部と外周部ではデイスクの回転数を変化させ、データの再生レートに差が生じないように制御している。
【０００４】
ここで、光ピックアップ（以降単にピックアップと称する）がディスク上のトラックをジャンプするトラックジャンプ時にＰＬＬを追従させる方法として、トラックジャンプ中のデータ信号（ＲＦ信号）から周波数情報を抜き出し、ＰＬＬを追従させる方法がある。
【０００５】
この方法は、ジャンプするトラック数に関係無くトラックジャンプ時のみスライスレベル生成回路により、ある一定のスライスレベルを設定し、そのスライスレベルでトラックを横切った時のデータ信号（オントラックでのデータ情報）の周波数情報を検出し、また、トラック間を通過する際に検出されるデータ信号（オフトラックでのデータ情報）の周波数情報を検出しないようにすることで、トラックジャンプ中に、ディスクの回転数の変化に対して、ＰＬＬが大きく変化しないような制御を行っている。
【０００６】
ところが、近年の光ディスク（ＣＤ／ＤＶＤ）再生装置では、ディスクモータの制御方式としてＣＡＶ制御方式（回転数一定）が主流となっており、例えば図３に示すような構成を有している。
【０００７】
図３において、ピックアップ１は、スピンドルモータ１２によって一定回転されるディスク１１上のトラックに記録されているデータを読み取って、ヘッドアンプ２に出力する。ヘッドアンプ２は入力されるデータを増幅すると共に、ＲＦ信号を抽出して、これをカップリングコンデンサＣを介してコンパレータ（ＲＦ信号スライサー）３に出力する。
【０００８】
コンパレータ３は入力されるＲＦ信号を積分スライスレベル生成回路４又は、特定スライスレベル生成回路５から供給されるスライスレベルと比較して２値化し、ＥＦＭ信号（デジタルＲＦ信号）とする。
【０００９】
通常再生時、積分スライスレベル生成回路４から生成されるスライスレベルがコンパレータ３に供給されるが、トラックジャンプ時、特定スライスレベル生成回路５から生成されるスライスレベルがコンパレータ３に供給され、スイッチ６で切り換えを行っている。
【００１０】
トラックジャンプ中には、スイッチ６により特定スライスレベル生成回路５を選択し、トラックを横切った際のデータ信号（オントラック情報）を特定スライスレベル生成回路５により設定されるスライスレベルでスライスすることで、ジャンプ中の周波数情報が検出でき、その周波数情報を基にＰＬＬ回路７を追従させ、ジャンプ終了後のＰＬＬの引き込み動作を容易にしている。尚、積分スライスレベル生成回路４は、ＥＦＭ信号のハイレベルとローレベルの期間の時積分の差分を検出して、コンパレータ３が常にＲＦ信号のセンターでスライスするようにスライスレベルを設定する。
【００１１】
ＰＬＬ回路７はＥＦＭ信号と同期させるためのビットクロックを生成し、そのビットクロックがＥＦＭ信号と同期するように無制御で動作する。ビットクロックとＥＦＭ信号が完全に同期することにより、再生データが安定に読み出される。
【００１２】
【発明が解決しようとする課題】
上記のような従来の光ディスク再生装置ではＣＡＶ制御方式を採っているが、回転数が同じ場合、ディスクのデータはＣＬＶ制御方式で記録されているため、内周部と外周部で記録データのレートが異なってしまう。
【００１３】
このため、ＣＡＶ制御方式では、ピックアップ１がディスク１１上の短い（少ない）トラック数をジャンプした場合、ジャンプする前とジャンプした後のデータレートが変化する。しかし、その変化量が少ないため、ＰＬＬ回路７内におけるＶＣＯの発振周波数の変化も僅かであり、ジャンプ終了時のＰＬＬ回路７の引き込み動作に大きな影響はなく、引き込み動作時間もかからない。
【００１４】
しかし、ある程度長い（多い）トラック数をジャンプする場合、ジャンプする前とジャンプした後のデータレートの変化量が大きいため、従来技術によるトラックを横切った際のデータ信号（オントラックでのデータ情報）の周波数情報だけでは、十分にＰＬＬ回路７が追従できず、ジャンプ終了後のＰＬＬの引き込みに時間がかかるという問題があった。
【００１５】
本発明は、上述の如き従来の課題を解決するためになされたもので、その目的は、ＣＡＶ制御方式を採った場合で、ピックアップがディスク上のある程度長い（多い）トラック数をジャンプしても、ＰＬＬ回路の追従を良好に行って、ジャンプ終了後のＰＬＬの引き込みを短時間に行うことができる光ディスク再生装置を提供することである。
【００１６】
【課題を解決するための手段】
上記目的を達成するために、請求項１の発明の特徴は、一定回転数で回転するディスク上のトラックからデータを読み取るピックアップ手段と、読み取ったデータをあるスライスレベルで２値化してＲＦ信号を生成する手段と、このＲＦ信号に同期を掛けるＰＬＬ回路と、前記ピックアップがトラックジャンプする際に用いる前記スライスレベルを、ジャンプするトラック数に応じて変化させるスライスレベル設定手段とを具備し、前記スライスレベル設定手段は、ジャンプするトラック数が少ない場合はオントラックデータのみを検出できるように前記スライスレベルを設定し、ジャンプするトラック数が多い場合はオントラックデータに加えてオフトラックデータも検出できるように前記スライスレベルを設定することにある。
【００１７】
この請求項１の発明によれば、ジャンプするトラック数に応じて、設定するスライスレベルを変化させると、多くのトラックをジャンプする際に検出する情報量を多くすることができ、その結果、ＰＬＬ回路に伝える周波数情報量を多くすることができ、トラックジャンプ終了後の到達点におけるデータレートにできるだけ近い周波数に制御するようＰＬＬ回路内におけるＶＣＯの発振周波数を変化させることができる。
【００１９】
【発明の実施の形態】
以下、本発明の実施の形態を図面に基づいて説明する。図１は、本発明の光ディスク再生装置の一実施形態に係る構成を示したブロック図である。但し、従来例と同様の部分には同一符号を付して説明する。光ディスク再生装置は、ＣＤやＤＶＤなどのディスクから記録データを読み取る光ピックアップ（ピックアップ）１、ピックアップ１により読み取られたデータを増幅してＲＦ信号１００を抽出するヘッドアンプ２、ＲＦ信号１００を２値化してＥＦＭ信号２００とするコンパレータ３、ＥＦＭ信号２００に基づいてコンパレータ３の２値化レベルを決めるスライスレベル３０を発生する積分スライスレベル生成回路４、トラックジャンプ時のコンパレータ３の２値化レベルを決めるスライスレベル信号５０１、５０２を生成する特定スライスレベル生成回路５、積分スライスレベル生成回路４と特定スライスレベル生成回路５を切り替えるスイッチ６、再生データを安定に読み出すためのビットクロック８０を発生するＰＬＬ回路７、ヘッドアンプ２とコンパレータ３を接続するカップリングコンデンサＣ、コンパレータ３に入力されるＲＦ信号１００のレベルを調整する可変抵抗ＶＲを有している。
【００２０】
ここで、特定スライスレベル生成回路５は、短いトラックジャンプ用のスライスレベルを発生する回路５１と長いトラックジャンプ用のスライスレベルを発生する回路５２と、これら回路５１、５２を切り替えるスイッチ８を備えている。
【００２１】
次に本実施形態の動作について説明する。ピックアップ１は、スピンドルモータ１２によって一定回転されるディスク１１上のトラックに記録されているデータを読み取って、ヘッドアンプ２に出力する。ヘッドアンプ２は入力されるデータを増幅すると共に、ＲＦ信号１００を抽出して、これをカップリングコンデンサＣを介してコンパレータ（ＲＦ信号スライサー）３に出力する。このＲＦ信号１００は、ディスクに記録されているデータ信号である。
【００２２】
コンパレータ３はＲＦ信号１００を積分スライスレベル生成回路４で生成されるスライスレベル３０又は、特定スライスレベル生成回路５で生成されるスライスレベル５０１又は５０２を用いて２値化し、ＥＦＭ信号２００として出力する。  ここで、積分スライスレベル生成回路４は、ＥＦＭ信号のハイレベル期間とローレベル期間の時積分の差分を検出しており、コンパレータ３が常にＲＦ信号２００のセンターでスライスするようにスライスレベルを設定する回路である。一方、特定スライスレベル生成回路５は、外部からスライスレベルをある特定のレベルに設定できる回路である。この特定スライスレベル生成回路５はトラックジャンプ時に使用し、図示されない制御回路（マイコン等）により制御されるスイッチ６により切り換えが行なわれる。
【００２３】
ＰＬＬ回路７はＥＦＭ信号２００と同期させるためのビットクロック８０を生成し、そのビットクロック８０がＥＦＭ信号２００と同期するように無制御で動作する。ビットクロック８０とＥＦＭ信号２００が完全に同期することにより、再生データが安定に読み出される。
【００２４】
ここで、トラックジャンプ中、スイッチ６は端子ｂに切り替わり、特定スライスレベル生成回路５が選択されるため、コンパレータ３はトラックを横切った際のデータ信号を特定スライスレベル生成回路５により設定されるスライスレベル５０１、又は５０２でスライスして、ＲＦ信号１００を２値化する。これにより、ＰＬＬ回路７はジャンプ中に周波数情報を検出でき、その周波数情報を基にＰＬＬを追従させることができる。
【００２５】
しかも、本例の特定スライスレベル生成回路５は、ＰＬＬの追従性を改善するため、短い（少ない）トラック数をジャンプする場合と、ある程度長い（多い）トラック数をジャンプする場合とでは、出力するスライスレベルを変化させるようにしている。
【００２６】
即ち、短いトラック数をジャンプする場合、上記した制御回路により制御されるスイッチ８は端子ａに切り替わり、短いトラックジャンプ用回路５１から生成される図２に示すようなスライスレベル５０１をコンパレータ３に供給し、長いトラック数をジャンプする場合、スイッチ８は端子ｂに切り替わり、長いトラックジャンプ用回路５２から生成される図２に示すようなスライスレベル５０２をコンパレータ３に供給する。
【００２７】
これにより、短いトラックジャンプ時、コンパレータ３は図２に示すようにＲＦ信号１００をスライスレベル５０１でスライスして２値化するため、ＲＦ信号１００のオントラック情報（図２の波形の上下に膨らんでいる部分）のみを検出してＰＬＬ回路７に出力することになる。一方、長いトラックジャンプ時、コンパレータ３は図２に示すようにＲＦ信号１００をスライスレベル５０２でスライスして２値化するため、ＲＦ信号１００のオントラック情報に加えてオフトラック情報も検出してＰＬＬ回路７に出力することになる。
【００２８】
このように長いトラックジャンプ時、ＰＬＬ回路７はオントラック情報に加えてオフトラック情報を含んだＥＦＭ信号２００から周波数情報を検出することになる。これにより、長いトラック数をジャンプする場合で、ＰＬＬ回路７内におけるＶＣＯの発振周波数を大きく変化させなければならないが、ＰＬＬ回路７はオフトラック情報をＶＣＯの発振周波数の変化に使用できるため、データレートの変化量が大きくとも、トラックジャンプ終了後の到達点におけるデータレートにできるだけ近い周波数に制御するようＰＬＬ回路７内におけるＶＣＯの発振周波数を変化させることができる。例えば、あるしきい値を超えたらスライスレベルが５０１から５０２へ切り換わる。
【００２９】
本実施の形態によれば、特定スライスレベル生成回路５で設定されるスライスレベルをジャンプするトラック数に応じて変化させることができ、特に、ジャンプするトラック数が多い場合、オントラック情報に加えてオフトラック情報も検出できるようにスライスレベルを設定して、ＰＬＬ回路７内におけるＶＣＯの発振周波数を大きく変化させることができるため、トラックジャンプ終了後の到達点におけるデータレートにできるだけ近い周波数に制御するようＰＬＬ回路７内におけるＶＣＯの発振周波数を変化させることができる。これにより、長いトラックジャンプ時にチャネルクロック生成用のＰＬＬ回路７がデータレートの変化に対して迅速に追従でき、ジャンプ終了後の引き込み動作を速めることができる。
【００３０】
尚、短いトラックジャンプ時、ＲＦ信号１００はスライスレベル５０１でスライスされて２値化されるが、これは従来と同様、データレートの変化量が少ないため、ＰＬＬ回路７内におけるＶＣＯの発振周波数の変化も僅かであり、ジャンプ終了時のＰＬＬ回路７の引き込み動作に大きな影響はなく、引き込み動作時間もかからないことは言うまでもない。
【００３１】
【発明の効果】
以上詳細に説明したように、本発明の光ディスク再生装置によれば、スライスレベルをジャンプするトラック数に応じて変化させることにより、ＣＡＶ制御方式を採った場合で、ピックアップがディスク上のある程度長い（多い）トラック数をジャンプしても、ＰＬＬ回路の追従を良好に行って、ジャンプ終了後のＰＬＬの引き込みを短時間に行うことができる。
【図面の簡単な説明】
【図１】本発明の光ディスク再生装置の一実施形態に係る構成を示したブロック図である。
【図２】図１に示したコンパレータの動作を説明する波形図である。
【図３】従来の光ディスク再生装置の構成例を示したブロック図である。
【符号の説明】
１  光ピックアップ
２  ヘッドアンプ
３  コンパレータ
４  積分スライスレベル生成回路
５  特定スライスレベル生成回路
６、８  スイッチ
７  ＰＬＬ回路
１１  ディスク
１２  スピンドルモータ
５１  短いトラックジャンプ用回路
５２  長いトラックジャンプ用回路
Ｃ  カップリングコンデンサ
ＶＲ  可変抵抗
【図１】
0003954259.tif 000002
【図２】
0003954259.tif 000003
【図３】
0003954259.tif 000004